(57)【要約】      （修正有）【課題】つまり防止靴底に関し、家畜等の糞を踏みつけても靴底につまらず、つまってもすぐに落とせる構造の靴底及びそれを用いた畜産現場で使用される畜産現場用長靴、若しくはラード等を踏みつけて靴底につまらず、つまってもすぐに落とせる構造の靴底及びそれを用いた食品製造現場で使用される食品製造現場長靴などの作業靴を提供する。【解決手段】靴底の幅方向に、靴底の端から端まで、一本の連続した波長λの第一の波状の凸型意匠構造を有し、波長λは靴底の横幅方向の最大幅の１／８〜１であり、凸型意匠構造の表面である接地部は平面であって、意匠高さｈが３〜８ｍｍ、意匠幅ｗが３〜８ｍｍ、意匠勾配αが０〜１０°、波の形状の角度βが０〜４５°であり、一定間隔ｓ（９〜１４ｍｍ）で、第一と第二の波状の凸型意匠構造を、靴底全面に、相似形に、一定間隔ｓを隔てて設けたつまり防止構造靴底。【選択図】図２
2014090884.tif 000002
【特許請求の範囲】
【請求項１】
靴底の幅方向に、靴底の端から端まで、一本の連続した波長（λ）の第一の波状の凸型意匠構造を有し、波長（λ）は靴底の横幅方向の最大幅の１／８〜１であり、凸型意匠構造の表面である接地部は平面であって、意匠高さ（ｈ）が３〜８ｍｍ、意匠幅（ｗ）が３〜８ｍｍ、意匠勾配（α）が０°〜１０°、波の形状の角度（β）が０°〜４５°であり、一定間隔（ｓ）（９〜１４ｍｍ）をおいて、第一の波状の凸型意匠構造と平行に第二の相似形の波状の凸型意匠構造を配し、靴底の全面に一定間隔（ｓ）（９〜１４ｍｍ）を隔てた波状の凸型意匠構造を設けたつまり防止構造靴底。
【請求項２】
靴底の最薄部（ｔ）が４〜１０ｍｍであり、凸型意匠構造が、厚さ２〜５ｍｍのテーパー構造（Ｒ）で支えられた請求項１に記載した波状の凸型意匠構造を設けたつまり防止構造靴底。
【請求項３】
凸型意匠構造の表面である接地部の平面の一部を、波と垂直方向に、規則的に又は不規則的に幅１〜２ｍｍ、深さ２〜３ｍｍの溝（Ｍ）を設けた請求項１または請求項２に記載した波状の凸型意匠構造を設けたつまり防止構造靴底。
【請求項４】
溝の間隔が、１０ｍｍ〜２０ｍｍである請求項３に記載した波状の凸型意匠構造を設けたつまり防止構造靴底。
【請求項５】
４０〜７０（デュロメーターＡ  ２５℃）の硬さを有するポリ塩化ビニル、ポリウレタン、ポリビニルアセテート等の熱可塑性高分子材料又はゴムから選ばれる請求項１ないし請求項４のいずれかひとつに記載した波状の凸型意匠構造を設けたつまり防止構造靴底。
【請求項６】
凸型意匠構造と次の凸型意匠構造のつなぎ部の平面（Ｒ１＋Ｆ＋Ｒ２）を鏡面仕上げにする請求項１ないし請求項４のいずれかひとつに記載した波状の凸型意匠構造を設けたつまり防止構造靴底。
【請求項７】
つま先部とかかと部の一部を一般的に使用される耐摩耗意匠構造に置き換えた請求項１ないし請求項４のいずれかひとつに記載した波状の凸型意匠構造を設けたつまり防止構造靴底。
【請求項８】
請求項１ないし請求項７のいずれかに記載した波状の凸型意匠構造を設けたつまり防止構造靴底を用いた作業靴。
【請求項９】
請求項１ないし請求項７のいずれかに記載した波状の凸型意匠構造を設けたつまり防止構造靴底を用いた家畜現場用長靴。
【請求項１０】
請求項１ないし請求項７のいずれかに記載した波状の凸型意匠構造を設けたつまり防止構造靴底を用いた食品製造現場用長靴若しくはスニーカー。
【発明の詳細な説明】
【技術分野】
【０００１】
本発明は、つまり防止靴底に関し、家畜等の糞を踏みつけても靴底につまらず、もし、つまってもすぐに落とせる構造の靴底を有する畜産現場で使用される畜産現場用長靴、若しくはラード等を踏みつけて靴底につまらず、もし、つまってもすぐに落とせる構造の靴底を有する食品製造現場で使用される食品製造現場長靴若しくはスニーカーなどの作業靴を提供する。
【背景技術】
【０００２】
近年、口蹄疫や鳥インフルエンザなど家畜の排せつ物を通して蔓延する家畜の疫病の流行が頻発している。
畜産関係者（畜産農家、獣医師、家畜人工授精師、削蹄師など）が着用している長靴の靴底に付着したと見られる病原体による拡散問題がある。事実、家畜の糞などの汚れは、靴底の防滑意匠構造につまり、除去しにくいのが実状である。その結果、畜産関係者（畜産農家、獣医師、家畜人工授精師、削蹄師など）は十分な洗浄除去を行わないまま、次の農場へ移動するケースが多くみられ、長靴の靴底に付着したと見られる病原体による拡散が行われているのが実状である。
【０００３】
また、従来の畜産現場で働く畜産現場用長靴としては、通常の耐滑性安全長靴が転用されて用いられることが多かった。
通常の耐滑性安全長靴としては、例えば、独立したブロック意匠を特定の形状に成型した耐滑靴底が知られている。（特許文献１参照）
しかし、ここに開示されている独立したブロック意匠と独立したブロック意匠との間隔は狭く、耐滑性については満足できるものの、家畜等の糞を踏みつけると靴底の独立したブロック意匠と独立したブロック意匠の間につまってしまい、さらに、これを水洗等で落とす際に、落ちにくいという欠陥がある。
【０００４】
さらに本件発明のつまり防止靴底に一見似通ったブロック意匠をもつ耐滑性靴底が知られている。（特許文献２参照）
しかし、ここに開示されている耐滑性靴底は、畜産現場用長靴として用いた場合には、Ｖ字形状の接地凸部と次のＶ字形状の接地凸部との間が狭く、耐滑性については満足できるものの、やはり、家畜等の糞を踏みつけると靴底の独立したブロック意匠と独立したブロック意匠の間につまってしまい、さらに、これを水洗等で落とす際に、落ちにくいという欠陥がある。
また、さらに、衛生面を高めるという要求は、畜産現場用長靴のみならず、食品製造現場でラード等を踏みつけた場合にも同様に起こり得る問題である。
【先行技術文献】
【特許文献】
【０００５】
【特許文献１】特許第３４５１２０５号明細書
【特許文献２】特許第３９５９６４８号明細書
【発明の概要】
【発明が解決しようとする課題】
【０００６】
本発明は、家畜等の糞を踏みつけても靴底につまらず、もし、つまってもすぐに落とせる構造の靴底及びそれを用いた畜産現場で使用される畜産現場用長靴若しくはラード等を踏みつけて靴底につまらず、もし、つまってもすぐに落とせる構造の靴底及びそれを用いた食品製造現場で使用される食品製造現場長靴などの作業靴を提供する。
本発明はポリ塩化ビニル、ポリウレタン、エチレンビニルアセテート(EVA)等の熱可塑性高分子材料又はゴムを用いた靴底、その靴底を用いた畜産現場用長靴、食品製造現場長靴などの作業靴を提供する。
【課題を解決するための手段】
【０００７】
本発明は、靴底の幅方向に、靴底の端から端まで、一本の連続した波長（λ）の第一の波状の凸型意匠構造を有し、波長（λ）は靴底の横幅方向の最大幅の１／８〜１であり、凸型意匠構造の表面である接地部は平面であって、意匠高さ（ｈ）が３〜８ｍｍ、意匠幅（ｗ）が３〜８ｍｍ、意匠勾配（α）が０°〜１０°、波の形状の角度（β）が０°〜４５°であり、一定間隔（ｓ）（９〜１４ｍｍ）をおいて、第一の波状の凸型意匠構造と平行に第二の相似形の波状の凸型意匠構造を配し、靴底の全面に一定間隔（ｓ）（９〜１４ｍｍ）を隔てた波状の凸型意匠構造を設けたつまり防止構造靴底である。
また、本発明の波状の凸型意匠構造を設けたつまり防止構造靴底では、靴底の最薄部（ｔ）が４〜１０ｍｍであり、凸型意匠構造が、厚さ２〜５ｍｍのテーパー（Ｒ）で支えられた構造とすることが出来る。
さらに、本発明の波状の凸型意匠構造を設けたつまり防止構造靴底では、凸型意匠構造の表面である接地部の平面の一部を、波と垂直方向に、規則的に又は不規則的に幅１〜２ｍｍ、深さ２〜３ｍｍの溝（Ｍ）を設けることができる。また本発明の波状の凸型意匠構造を設けたつまり防止靴底は波状でなく、幅方向に平行に一本の連続した意匠とすることができる。
また、本発明の波状の凸型意匠構造を設けたつまり防止構造靴底では、溝の間隔が、１０ｍｍ〜２０ｍｍとすることができる。
さらに、本発明の凸型意匠構造を設けたつまり防止構造靴底では、４０〜７０（デュロメーターＡ２５℃）であるポリ塩化ビニル、ポリウレタン、ポリエチレンビニルアセテート等の熱可塑性樹脂又はゴムから選ぶことができる。
また、本発明の波状の凸型意匠構造を設けたつまり防止構造靴底では、凸型意匠構造と次の凸型意匠構造のつなぎ部の平面（Ｒ１＋Ｆ＋Ｒ２）を鏡面仕上げにすることができる。
さらに、本発明の波状の凸型意匠構造を設けたつまり防止構造靴底では、つま先部とかかと部の一部を一般的に使用される耐摩耗意匠構造に置き換えることができる。
【０００８】
また、本発明は、これらの波状の凸型意匠構造を設けたつまり防止構造靴底を用いた作業靴である。
さらに、本発明は、これらの波状の凸型意匠構造を設けたつまり防止構造靴底を用いた家畜現場用長靴である。
また、本発明は、これらの波状の凸型意匠構造を設けたつまり防止構造靴底を用いた食品製造現場用長靴又はスニーカーである。
【発明の効果】
【０００９】
本発明の波状の凸型意匠構造を設けたつまり防止構造靴底は、靴底の幅方向に、靴底の端から端まで、一本の連続した第一の波状の凸型意匠構造を有し、第一の波状の凸型意匠構造と平行に第二の相似形の波状の凸型意匠構造は、特定構造を有しているので、粘土質の固体を踏みつけても靴底に粘土質がはさまりにくく、はさまったとしても、水や空気で直ちに洗浄して落とすことが出来る。
また、これを用いた長靴、とくに家畜現場用長靴は家畜の疫病の病原体による伝染の拡散を防止することが期待でき、また、食品製造現場用長靴は落ちた固形油脂を楽に落とすことが出来り、衛生環境を守ることが期待できる。
【図面の簡単な説明】
【００１０】
【図１】従来の靴底の一例
【図２】本件発明の靴底意匠
【図３】本件発明の靴底意匠の一例
【図４】本件発明の靴底の一例
【図５】本件発明の靴底の応用例
【図６】比較例１の靴底意匠
【図７】比較例２の靴底意匠
【発明を実施するための形態】
【００１１】
本発明で用いることができる高分子材料としては、ポリ塩化ビニル、ポリウレタン、ポリエステル、EVA、ポリオレフィン、天然ゴム、エポキシ化天然ゴム(ENR)、スチレンブタジエンゴム(SBR)、ブタジエンゴム(BR)、クロロプレンゴム(CR)、ニトリルゴム(NBR)、水素化ニトリルゴム(HNBR)、エチレンプロピレンゴム(EPDM)、アクリルゴム(ACM)、塩素化ポリエチレン(CM)、フッ素ゴム(FKM)、イソプレンゴム(IR)などが挙げられるが、成形性、作業靴機能として問題なければこれらに限定されるものではない。取り扱いやすさや経済的観点から、ポリ塩化ビニルが好ましい。
また、ポリ塩化ビニル配合の可塑剤としてはジブチルフタレート(DBP)、ジ-2-エチルヘキシルフタレート(DOP)、ジ-n-オクチルフタレート(n-DOP)ジイソデシルフタレート(DIDP)、ジイソノニルフタレート(DINP)等フタル酸誘導体、ジ-2-エチルヘキシルテトラヒドロフタレート等のテトラヒドロフタル酸誘導体、ジブチルアジペート(DBA)、ジメチルアジペート(DMA)、ジ-2-エチルヘキシルアジペート(DOA)等のアジピン酸誘導体、その他ポリエステル系可塑剤、エポキシ誘導体、パラフィン誘導体などが挙げられる
また、長靴としての柔軟性、履き心地を良くするために可塑剤で調整し硬度はデュロメーターＡ−40〜70（２５℃）が適切である。
安定剤としてはステアリン酸マグネシウム、12-ヒドロキシステアリン酸マグネシウム、ステアリン酸カルシウム等の金属石けん、ブチル錫ラウレート系、ブチル錫マレート系、ジブチル錫ラウレートマレート系、ブチル錫メルカプト系、オクチル錫系、メチル錫メルカプト系等の有機錫化合物、カルシウム-亜鉛系(Ca-Zn)複合安定剤、バリウム-亜鉛系(Ba-Zn)複合安定剤などが挙げられる。
抗菌剤としては窒素系、窒素硫黄系、窒素硫黄ハロゲン系、環状炭化水素系等の有機系抗菌剤、銀-銅-ゼオライト(Ag-Cu-Zeolite)、銀-亜鉛-ゼオライト(Ag-Zn-Zeolite)等の無機系抗菌剤、有機無機複合系抗菌剤などが挙げられる。
顔料は好みに応じて、市販のものを１種、または２種以上混合して使うことができる。
例えば無機顔料としては酸化チタン、亜鉛華、カーボンブラック、合成鉄黒、酸化鉄茶、コバルト緑、群青、金属粉顔料などが挙げられ、有機顔料としてはアゾ顔料、二ロシアニン顔料、ジオキサジン系顔料などが挙げられる。
【００１２】
本発明の射出成形に用いる典型的な塩化ビニル組成物の代表的配合は、ポリ塩化ビニル１００質量部に対して、可塑剤１００〜１８０質量部、安定剤０．３〜３質量部、顔料０．５〜５質量部であり、その他抗菌剤や体質顔料を適宜用いることが出来る。
【００１３】
本発明の波状の凸型意匠構造を設けたつまり防止構造靴底は、靴底の幅方向に、靴底の端から端まで、一本の連続した波長（λ）の第一の波状の凸型意匠構造を有し、波長（λ）は靴底の横幅方向の最大幅の１／８〜１であり、さらに望ましい波長（λ）は靴底最大幅の1/５〜１である。
波長（λ）は靴底の横幅方向の最大幅の１／８〜１であるが、靴底の横幅方向の最大幅の１／８以下では、第一の波状の凸型意匠構造と第二の相似形の波状の凸型意匠構造との間に家畜の糞等の固形可塑物が挟まった場合取れにくくなる。
さらに、凸型意匠構造の表面である接地部は平面であって、意匠高さ（ｈ）が３〜８ｍｍ、意匠幅（ｗ）が３〜８ｍｍ、意匠勾配（α）が０°〜１０°、波の形状の角度（β）が０°〜４５°であり、好ましくは１０°〜３０°、より好ましくは１２°〜２５°である。
また、一定間隔（ｓ）（９〜１４ｍｍ）をおいて、第一の波状の凸型意匠構造と平行に第二の相似形の波状の凸型意匠構造を配している。靴底の全面に一定間隔（ｓ）（９〜１４ｍｍ）を隔てて波状の凸型意匠構造を設けたつまり防止構造靴底であるため、家畜の糞等の固形可塑物を踏んでも、靴底に挟まらない利点を有する。
しかも、意匠高さ（ｈ）が３〜８ｍｍ、意匠幅（ｗ）が３〜８ｍｍ、意匠勾配（α）が０°〜１０°であるため、耐滑性も確保することができる。意匠勾配（α）が１０°以上になると、耐滑性が悪くなる。
本発明では、耐滑性などの事情に応じて、凸型意匠構造の表面である接地部の平面の一部を、波と垂直方向に、規則的に又は不規則的に幅１〜２ｍｍ、深さ２〜３ｍｍの溝（Ｍ）を設けることが出来る。多く設けすぎると家畜の糞等の固形可塑物が挟まった場合取れにくくなるので、好ましくない。
また、本発明において、本発明の波状の凸型意匠構造を設けたつまり防止構造靴底では、凸型意匠構造と次の凸型意匠構造のつなぎ部の平面（Ｒ１＋Ｆ＋Ｒ２）を鏡面仕上げにする
ことが好ましい。鏡面仕上げにすることで表面粗さが小さくなり固形可塑物が付着しにくくなり、つまった場合でも表面抵抗が小さくなるため除去も容易になる。つなぎ部の平面とは、凸型意匠構造の両側面に位置するテーパー部（Ｒ１とＲ２）及び厚さｔの面Ｆの合計長さＴで覆われる面すべてを鏡面仕上げにすることにより、家畜の糞等の固形可塑物を踏んでも、靴底に挟まらない効果がより一層高くなる。また、挟まったとしてもテーパー部があることで、洗浄による固形可塑物の取り除きが容易になる。波の形状の角度（β）が０°〜４５°、好ましくは１０°〜３０°、より好ましくは１２°〜２５°であるから、洗浄がしやすく、４５°以上は家畜の糞等の固形可塑物が挟まった場合洗浄がし難くなる。ブラッシングする際は幅方向に往復洗浄するのが一般的なことが多いので角度が大きくなるだけ除去しにくくなる。
また０°でも洗浄性、詰まり特性、防滑性は良好であったが、材質によっては、角度がないため作業時における靴底にかかる負荷が分散されずチッピング（意匠カケ）をおこす恐れがあり、材質等に工夫が必要になる。
凸型意匠構造の表面である接地部は平面であって、意匠高さ（ｈ）が３〜８ｍｍ、意匠幅（ｗ）が３〜８ｍｍ、意匠勾配（α）が０°〜１０°、波の形状の角度（β）が０°〜４５°であり、一定間隔（ｓ）（９〜１４ｍｍ）をおいて、第一の波状の凸型意匠構造と平行に第二の相似形の波状の凸型意匠構造を配し、靴底の全面に一定間隔（ｓ）（９〜１４ｍｍ）を隔てた波状の凸型意匠構造を設けたつまり防止構造靴底。間隔（ｓ）が９ｍｍより短くなると、家畜の糞等の固形可塑物が挟まった場合取れにくくなり、１４ｍｍより長くなると耐滑性が悪くなる。
また、本発明において用いる材質は、デュロメーターＡ−40〜70（２５℃）が適切である。
硬度が４０以下の場合、意匠の変形が大きくなり歩行時における耐滑性の保持が難しくなることと、固形可塑物が意匠の変形とともに入りこみ易くなってしまう。また硬度が７０以上の場合、作業靴としての柔軟性が乏しくなり、靴母体の屈曲にともなうワレが懸念されるため適切ではない。
【実施例１】
【００１４】
（波状の凸型意匠構造を設けたつまり防止構造靴底の製造）
ポリ塩化ビニル（重合度１３００）１００質量部に対して、可塑剤（ＤＯＰ）９０〜１５０質量部、安定剤（Ｓｎ）０．３〜３質量部、顔料（有機顔料）０．０５〜３質量部であり、のポリ塩化ビニル組成物を用いて射出成形により、本発明の波状の凸型意匠構造を設けたつまり防止構造靴底を作成した。
靴底の各部のサイズは、表１に示すとおりである。
【実施例２】
【００１５】
実施例１と同じポリ塩化ビニル組成物を用いて射出成形により、本発明の波状の凸型意匠構造を設けたつまり防止構造靴底を作成した。靴底の各部のサイズは、表１に示すとおりである。
【実施例３】
【００１６】
実施例１と同じポリ塩化ビニル組成物を用いて射出成形により、本発明の波状の凸型意匠構造を設けたつまり防止構造靴底を作成した。靴底の各部のサイズは、表１に示すとおりである。
【００１７】
（比較例１）
実施例１と同じポリ塩化ビニル組成物を用いて射出成形により、本発明の波状の凸型意匠構造を設けたつまり防止構造靴底を作成した。靴底の各部のサイズは、表１に示すとおりである。
【００１８】
（比較例２）
実施例１と同じポリ塩化ビニル組成物を用いて射出成形により、本発明の波状の凸型意匠構造を設けたつまり防止構造靴底を作成した。靴底の各部のサイズは、表１に示すとおりである。
【００１９】
従来例として実施例１と同じポリ塩化ビニル組成物を用いた当社製品衛生長靴を用いた。
従来例１：一般耐油衛生長靴であり、接地部にシボを設けテーパーブロックが配列した底意匠パターン。（図６）
従来例２：耐油耐滑衛生長靴であり、接地部が平面である独立したブロックが配列した底意匠パターン。（図７）
実施例1〜２及び比較例１〜２の各寸法を表１に示す。長さ単位    ｍｍ
角度単位    °
【００２０】
【表１】
2014090884.tif 000003
【００２１】
実施例で作られた靴底の特性、及び比較例、従来例の特性を表２に示す。
なお、耐滑特性は、耐滑性試験法ＪＩＳ−Ｔ−８１０１  安全靴」に基づいて靴底の動摩擦係数を測定した。
また、靴底の洗浄試験は、重さ４Ｋｇの圧力を靴底にかけてカオリン粘土（硬さ：パン生地と同程度）靴底に押し付けて、カオリン粘土を靴底に付着させた後、刷毛でブラッシングし完全にとれるまでの回数を測定した。
８回未満    ◎  
８〜１５    ○
１６〜２５    △
２６回以上    ×
詰まり特性は、靴底全体に４ｋｇの圧力をかけて半練状の小麦粉に押し付け、3分後に靴底を半練状の小麦粉から離し、靴底に付着した半練状の小麦粉の状態を観察した。意匠間及び接地面の詰まりを観察した。
意匠間及び接地面の詰まりがまったくない          ◎
意匠間及び接地面の詰まりがわずかなに見られる          ○    
意匠間及び接地面の詰まりが目立つ                △
意匠間及び接地面のおおきな詰まりがある          ×
【００２２】
【表２】
2014090884.tif 000004
【産業上の利用可能性】
【００２３】
本発明の射出成形長靴は、耐油性があるばかりか、耐滑性もあり、とくに家畜現場用長靴は家畜の疫病の病原体による伝染の拡散を防止することが期待でき、長靴の用途を拡大し、靴産業を発展させるのに大いに役立つものである。
【図１】
2014090884.tif 000005
【図２】
2014090884.tif 000006
【図３】
2014090884.tif 000007
【図４】
2014090884.tif 000008
【図５】
2014090884.tif 000009
【図６】
2014090884.tif 000010
【図７】
2014090884.tif 000011
【手続補正書】
【提出日】平成25年2月8日(2013.2.8)
【手続補正１】
【補正対象書類名】特許請求の範囲
【補正対象項目名】全文
【補正方法】変更
【補正の内容】
【特許請求の範囲】
【請求項１】
靴底の幅方向に、靴底の端から端まで、一本の連続した波長（λ）の第一の波状凸型意匠構造又は靴底の横幅方向に平行な凸型意匠構造を有し、前記第一の波状の凸型意匠構造は、波長（λ）は靴底の横幅方向の最大幅の１／８〜１であり、凸型意匠構造の表面である接地部は平面であって、意匠高さ（ｈ）が３〜８ｍｍ、意匠幅（ｗ）が３〜８ｍ、意匠勾配（α）が０°〜１０°、波の形状の角度（β）が０°＜（β）≦４５°であって、一定間隔（ｓ）９〜１４ｍｍをおいて、第一の波状の凸型意匠構造又は幅方向に平行な凸型意匠構造と平行に意匠幅（ｗ）が前記第一の波と同一の第二の相似形の波状凸型意匠構造又は靴底の横幅方向に平行な凸型意匠構造を配し、順次、靴底の全面に一定間隔（ｓ）９〜１４ｍｍを隔てて、意匠幅（ｗ）が前記第一の波と同一の波状凸型意匠構造又は靴底の横幅方向に平行な凸型意匠構造を設けたつまり防止構造靴底。
【請求項２】
靴底の最薄部（ｔ）が４〜１０ｍｍであり、凸型意匠構造が、厚さ２〜５ｍｍのテーパー構造（Ｒ）で支えられた請求項１に記載した波状凸型意匠構造又は靴底の横幅方向に平行な凸型意匠構造を設けたつまり防止構造靴底。
【請求項３】
凸型意匠構造の表面である接地部の平面の一部を、波と垂直方向に、規則的に又は不規則的に幅１〜２ｍｍ、深さ２〜３ｍｍの溝（Ｍ）を設けた請求項１または請求項２に記載した波状凸型意匠構造又は靴底の横幅方向に平行な凸型意匠構造を設けたつまり防止構造靴底。
【請求項４】
溝（Ｍ）の間隔が、１０ｍｍ〜２０ｍｍである請求項３に記載した波状凸型意匠構造又は靴底の横幅方向に平行な凸型意匠構造を設けたつまり防止構造靴底。
【請求項５】
４０〜７０（デュロメーターＡ  ２５℃）の硬さを有するポリ塩化ビニル、ポリウレタン、ポリビニルアセテート等の熱可塑性高分子材料又はゴムから選ばれる請求項１ないし請求項４のいずれかひとつに記載した波状凸型意匠構造又は靴底の横幅方向に平行な凸型意匠構造を設けたつまり防止構造靴底。
【請求項６】
凸型意匠構造と次ぎの凸型意匠構造のつなぎ部の平面を鏡面仕上げにする請求項１ないし請求項４のいずれかひとつに記載した波状凸型意匠構造又は靴底の横幅方向に平行な凸型意匠構造を設けたつまり防止構造靴底。
【請求項７】
つま先部とかかと部の一部を耐磨耗意匠構造に置き換えた請求項１ないし請求項４のいずれかひとつに記載した波状凸型意匠構造又は靴底の横幅方向に平行な凸型意匠構造を設けたつまり防止構造靴底。
【請求項８】
請求項１ないし請求項７のいずれかに記載した波状凸型意匠構造又は靴底の横幅方向に平行な凸型意匠構造を設けたつまり防止構造靴底を用いた作業靴。
【請求項９】
請求項１ないし請求項７のいずれかに記載した波状凸型意匠構造又は靴底の横幅方向に平行な凸型意匠構造を設けたつまり防止構造靴底を用いた家畜現場用長靴。
【請求項１０】
請求項１ないし請求項７のいずれかに記載した波状凸型意匠構造又は靴底の横幅方向に平行な凸型意匠構造を設けたつまり防止構造靴底を用いた食品製造現場用長靴又はスニーカー。
【手続補正２】
【補正対象書類名】明細書
【補正対象項目名】０００７
【補正方法】変更
【補正の内容】
【０００７】
本発明は、靴底の幅方向に、靴底の端から端まで、一本の連続した波長（λ）の第一の波状凸型意匠構造又は靴底の横幅方向に平行な凸型意匠構造を有し、前記第一の波状の凸型意匠構造は、波長（λ）は靴底の横幅方向の最大幅の１／８〜１であり、凸型意匠構造の表面である接地部は平面であって、意匠高さ（ｈ）が３〜８ｍｍ、意匠幅（ｗ）が３〜８ｍ、意匠勾配（α）が０°〜１０°、波の形状の角度（β）が０°＜（β）≦４５°であって、一定間隔（ｓ）９〜１４ｍｍをおいて、第一の波状の凸型意匠構造又は幅方向に平行な凸型意匠構造と平行に意匠幅（ｗ）が前記第一の波と同一の第二の相似形の波状凸型意匠構造又は靴底の横幅方向に平行な凸型意匠構造を配し、順次、靴底の全面に一定間隔（ｓ）９〜１４ｍｍを隔てて、意匠幅（ｗ）が前記第一の波と同一の波状凸型意匠構造又は靴底の横幅方向に平行な凸型意匠構造を設けたつまり防止構造靴底である。
また、本発明の波状凸型意匠構造又は靴底の横幅方向に平行な凸型意匠構造を設けたつまり防止構造靴底では、靴底の最薄部（ｔ）が４〜１０ｍｍであり、凸型意匠構造が、厚さ２〜５ｍｍのテーパー構造（Ｒ）で支えることができる。
さらに、本発明の波状凸型意匠構造又は靴底の横幅方向に平行な凸型意匠構造を設けたつまり防止構造靴底では、凸型意匠構造の表面である接地部の平面の一部を、波と垂直方向に、規則的に又は不規則的に幅１〜２ｍｍ、深さ２〜３ｍｍの溝（Ｍ）を設けることができる。
また、本発明の波状凸型意匠構造又は靴底の横幅方向に平行な凸型意匠構造を設けたつまり防止構造靴底では、溝（Ｍ）の間隔を、１０ｍｍ〜２０ｍｍとすることができる。
さらに、本発明の波状凸型意匠構造又は靴底の横幅方向に平行な凸型意匠構造を設けたつまり防止構造靴底は、４０〜７０（デュロメーターＡ  ２５℃）の硬さを有するポリ塩化ビニル、ポリウレタン、ポリビニルアセテート等の熱可塑性高分子材料又はゴムから選ばれる材料とすることができる。
また、本発明の波状凸型意匠構造又は靴底の横幅方向に平行な凸型意匠構造を設けたつまり防止構造靴底では、凸型意匠構造と次ぎの凸型意匠構造のつなぎ部の平面を鏡面仕上げにすることができる。
さらに、本発明の波状凸型意匠構造又は靴底の横幅方向に平行な凸型意匠構造を設けたつまり防止構造靴底は、つま先部とかかと部の一部を耐磨耗意匠構造に置き換えることができる。
【手続補正３】
【補正対象書類名】明細書
【補正対象項目名】０００８
【補正方法】変更
【補正の内容】
【０００８】
また、本発明は、波状凸型意匠構造又は靴底の横幅方向に平行な凸型意匠構造を設けたつまり防止構造靴底を用いた作業靴である。
さらに、本発明は、波状凸型意匠構造又は靴底の横幅方向に平行な凸型意匠構造を設けたつまり防止構造靴底を用いた家畜現場用長靴である。
また、本発明は、波状凸型意匠構造又は靴底の横幅方向に平行な凸型意匠構造を設けたつまり防止構造靴底を用いた食品製造現場用長靴又はスニーカーである。